(57)【要約】【課題】内槽の開口と外槽の開口との間での物の落下を防止することができる電気洗濯機を提供することを目的とする。【解決手段】洗濯物を出し入れするための外槽開口部を有する外槽と、前記外槽内に回転可能に配置され、前記外槽開口部に対応する位置に、洗濯物を出し入れするための内槽開口部を有し、洗濯物を収容するための内槽と、前記外槽開口部の周縁に沿って設けられ、前記内槽開口部へ向けて突出し、前記外槽開口部と前記内槽開口部との間から物が落下することを防止するための落下防止リブと、を含み、前記落下防止リブは、前記内槽開口部の下端部において、前記内槽開口部に最も接近するように形成されている。【選択図】図７
2008307430.tif 000002
【特許請求の範囲】
【請求項１】
洗濯物を出し入れするための外槽開口部を有する外槽と、
前記外槽内に回転可能に配置され、前記外槽開口部に対応する位置に、洗濯物を出し入れするための内槽開口部を有し、洗濯物を収容するための内槽と、
前記外槽開口部の周縁に沿って設けられ、前記内槽開口部へ向けて突出し、前記外槽開口部と前記内槽開口部との間から物が落下することを防止するための落下防止リブと、
を含み、
前記落下防止リブは、前記内槽開口部の下端部において、前記内槽開口部に最も接近するように形成されていることを特徴とする、電気洗濯機。
【請求項２】
前記落下防止リブは、洗濯中に前記内槽開口部の周縁に対向する位置において、前記内槽開口部から最も離間するように形成されていることを特徴とする、請求項１記載の電気洗濯機。
【請求項３】
前記落下防止リブは、前記内槽開口部の下端部のみにおいて、前記内槽開口部の周縁に対向することを特徴とする、請求項１または２記載の電気洗濯機。
【発明の詳細な説明】
【技術分野】
【０００１】
この発明は、ドラム式洗濯機などの電気洗濯機に関する。
【背景技術】
【０００２】
従来より、外槽内に回転可能に配置された内槽に洗濯物を収容し、この洗濯物の洗濯および乾燥を行う電気洗濯機が知られている（たとえば、特許文献１および２参照）。
【０００３】
特許文献1に記載の洗濯・乾燥機は、外槽内に熱風を供給する熱風供給装置を備えており、乾燥運転時には、熱風供給装置の熱風出口部分を介して外槽内に供給される熱風によって、内槽内の洗濯物が乾燥される。
【０００４】
ここで、特許文献1に記載の洗濯・乾燥機では、洗濯運転時に内槽の回転によって外槽内の泡が熱風出口部分から熱風供給装置へ侵入して熱風供給装置の内部部品が腐食することを防止するための機構が備えられている。このような機構として、具体的には、熱風出口部分を開閉可能な弁体と、洗濯運転時には弁体を閉位置に位置させ、乾燥運転時には熱風供給装置からの熱風によって作動して弁体を開位置に位置させる熱応動部材からなる作動体と、が備えられている。これにより、洗濯運転時には、閉位置にある弁体によって熱風出口部分が閉鎖されるので、上述した泡が熱風供給装置へ侵入することが防止される。一方、乾燥運転時には、開位置にある弁体によって熱風出口部分が開放されるので、熱風供給装置から外槽内に熱風を供給することができる。
【０００５】
特許文献２に記載のドラム式乾燥洗濯機では、外槽内に配置された内槽は、水平軸を中心に回転する。外槽および内槽には、水平軸にほぼ沿う方向において、開口がそれぞれ対向状に形成されており、これらの開口を介して、洗濯物が内槽に対して出し入れされる。
【特許文献１】特開平２−８８０９７号公報
【特許文献２】特開平１１−１２８５８６号公報
【発明の開示】
【発明が解決しようとする課題】
【０００６】
特許文献1に記載の洗濯・乾燥機において、熱風供給装置へ泡が侵入することを防止するための機構は、上述した弁体と作動体とで構成されるので、複雑となる。なお、特許文献1に記載の洗濯・乾燥機では、熱風供給装置の熱風出口部分における泡の侵入について言及しているが、これに限らず、たとえば、外槽内から流出する空気を導くための流出路や、外槽内の空気を循環させるための循環流路を設ける場合においても、これらの流路と外槽との接続部分から流路内へ泡が侵入する虞がある。なお、これらの流路に泡検知センサを設けて、泡検知センサによって泡の侵入が検知されると消泡処理を行うのが一般的だが、内槽の脱水回転時などでは、泡が増殖することで泡検知センサの検知が必要以上に早くなって不必要な消泡処理が行なわれる虞があるので、これらの流路には泡が侵入しないことが望ましい。もちろん、泡に限らず、異物が侵入することも防止する必要がある。特に、これらの流路と外槽との接続部分が奥側に配置される場合には、これらの流路に侵入した異物の除去が困難だからである。
【０００７】
また、特許文献２に記載のドラム式乾燥洗濯機では、内槽および外槽の開口が、上述したように、水平軸にほぼ沿う方向において対向している。そのため、対向する内槽の開口と外槽の開口との間の隙間から物が落下する虞がある。また、内槽の回転中において、内槽が揺れると、内槽が外槽の開口に接触することで騒音が発生する虞もある。そして、洗濯物を、損傷することなく洗濯する必要がある。
【０００８】
この発明は、内槽の開口と外槽の開口との間での物の落下を防止することができる電気洗濯機を提供することを目的とする。
【課題を解決するための手段】
【０００９】
請求項１記載の発明は、洗濯物を出し入れするための外槽開口部を有する外槽と、前記外槽内に回転可能に配置され、前記外槽開口部に対応する位置に、洗濯物を出し入れするための内槽開口部を有し、洗濯物を収容するための内槽と、前記外槽開口部の周縁に沿って設けられ、前記内槽開口部へ向けて突出し、前記外槽開口部と前記内槽開口部との間から物が落下することを防止するための落下防止リブと、を含み、前記落下防止リブは、前記内槽開口部の下端部において、前記内槽開口部に最も接近するように形成されていることを特徴とする、電気洗濯機である。
【００１０】
請求項２記載の発明は、前記落下防止リブは、洗濯中に前記内槽開口部の周縁に対向する位置において、前記内槽開口部から最も離間するように形成されていることを特徴とする、請求項１記載の電気洗濯機である。
【００１１】
請求項３記載の発明は、前記落下防止リブは、前記内槽開口部の下端部のみにおいて、前記内槽開口部の周縁に対向することを特徴とする、請求項１または２記載の電気洗濯機である。
【発明の効果】
【００１２】
請求項１記載の発明によれば、内槽開口部へ向けて突出する落下防止リブを外槽開口部の周縁に沿って設けることにより、外槽開口部と内槽開口部との間での物の落下を防止することができる。また、落下防止リブによって、外槽開口部の周縁と内槽開口部の周縁との間の隙間が隠されることによって、外槽開口部および内槽開口部周辺の見映えの向上を図ることができる。
【００１３】
また、落下防止リブは、内槽開口部の下端部において、内槽開口部に最も接近するように形成されている。これにより、上述した物の落下が最も発生し易い内槽開口部の下端部での物の落下が防止されるので、外槽開口部と内槽開口部との間での物の落下を確実に防止することができる。そして、落下防止リブは、内槽開口部の下端部以外に対しては、内槽開口部の下端部に比べて、離間しているので、洗濯中に内槽とともに回転する内槽開口部の周縁と落下防止リブとが接触しにくくなり、騒音を防止することができる。
【００１４】
請求項２記載の発明によれば、落下防止リブは、洗濯中に内槽開口部の周縁に対向する位置において、内槽開口部から最も離間するように形成されているので、洗濯中に内槽とともに回転する内槽開口部の周縁と落下防止リブとの接触が避けられ、騒音を防止することができる。
【００１５】
請求項３記載の発明によれば、落下防止リブは、内槽開口部の下端部のみにおいて、内槽開口部の周縁に対向するので、内槽開口部の下端部以外における落下防止リブと内槽開口部の周縁との接触が防止される。なお、洗濯中においては、洗濯物および洗濯物に含まれる水の重みで内槽が沈むことによって、内槽開口部の周縁が落下防止リブに対して下降するので、内槽開口部の下端部での落下防止リブと内槽開口部の周縁との接触も防止される。
【００１６】
これにより、上述した物の落下が最も発生し易い内槽開口部の下端部での物の落下を防止しつつ、洗濯中に内槽とともに回転する内槽開口部の周縁と落下防止リブとの接触による騒音を防止することができる。
【発明を実施するための最良の形態】
【００１７】
以下では、この発明の実施の形態を、添付図面を参照して詳細に説明する。
＜電気洗濯機の全体構成＞
図１は、この発明の一実施形態に係る電気洗濯機１０の正面図である。なお、方向について言及する場合には、図示した方向矢印を参照する（他の図においても同様とする。）。ここで、前側と正面側とは同じであり、後側と背面側と奥側とは同じである。
【００１８】
電気洗濯機１０は、その外殻を構成する正面視縦長略長方形状のハウジング１１を有する。ハウジング１１の内部上方には洗濯槽（後述する）が配置されており、その内部下方には貯水槽（後述する）が配置されている。
【００１９】
ハウジング１１の正面上方には、開口（ハウジング開口１１Ａ）が形成され、ハウジング開口１１Ａには開閉可能な扉１２が備えられている。扉１２は、たとえばその主表面が透明な強化ガラスで構成されており、内部にある洗濯槽内の洗濯物の様子が視認できる。
【００２０】
ハウジング１１の正面上部（扉１２の上方）には、操作・表示部１３が配置されている。操作・表示部１３には、複数個の操作キーおよび表示器が配列されている。表示器では、電気洗濯機１０の処理内容に関する種々の情報が表示される。
【００２１】
図２は、扉１２を閉じた状態における電気洗濯機１０の右側断面図である。図３は、扉１２を開いた状態における電気洗濯機１０の右側断面図である。
【００２２】
図２および図３を参照して、電気洗濯機１０には、洗濯槽２０（収容室）が備えられている。洗濯槽２０は、外槽２１と、外槽２１内に配置され、洗濯物を収容するための円筒状の内槽（ドラム２４）とを含んでいる。そして外槽２１の背面にはＤＤモータ２２が取り付けられており、ＤＤモータ２２によって外槽２１内で内槽（ドラム２４）が回転され得る。また、ドラム２４の回転軸は、奥側に延び、水平方向に対して前方が斜め上方に（たとえば、１５°）傾けられていて、いわゆる斜めドラム構造が採用されている。また、外槽２１は、複数のダンパ（図示せず）によってハウジング１１の底部に取り付けられている。即ち、外槽２１は、ハウジング１１内で揺動自在に支持されている。
【００２３】
外槽２１の上方左側には注水口ユニット２５が設けられている。注水口ユニット２５は、外槽２１内へ洗いやすすぎのための水が供給される場合に、当該水が通過するユニットである。このユニット２５内には、洗剤容器４７（図４参照）が備えられていて、供給される水が洗剤容器４７内を流れ、それに伴い洗剤が水と一緒に供給されたり、供給されなかったりを選択可能になっている。
【００２４】
この電気洗濯機１０は、洗いやすすぎに風呂水を用いることができる。そのために、注水口ユニット２５の右側に隣接するように風呂水を汲み上げる手段としての風呂水ポンプ２６（図４参照）が備えられている。
【００２５】
さらに、洗濯槽２０では、洗いおよびすすぎに加えて乾燥も行える。そのために、外槽２１の右側後方には流出路としての乾燥風路２８（図４参照）が接続されている。乾燥風路２８は、外槽２１の出口１０２（後述する）から湿った空気を吸い出して流出させ、その空気を上方へ導く間に、空気の除湿を行う。乾燥風路２８の上部には、接続ホース６０（図４参照）を介して、ブロアユニット２９が接続されている。ブロアユニット２９は、乾燥風路２８で導かれた除湿後の空気（乾燥風）を、後述する接続ホース６１（図４参照）および乾燥風入口１３９（図１４参照）を介して、再び外槽２１内へ流入させるためのものである。ブロアユニット２９内には、送り込む空気を加熱するためのヒータ（図示せず）が備えられている。ここで、乾燥風路２８、接続ホース６０、ブロアユニット２９および接続ホース６１は、循環流路として機能し、この循環流路は、乾燥風入口１３９（外槽２１の入口）および出口１０２に接続されている。
【００２６】
電気洗濯機１０には、さらに、ブロアユニット２９の近傍にオゾン発生ユニット３０（図４参照）が備えられている。オゾン発生ユニット３０は、後述するように、水浄化手段として機能するとともに、乾燥時やエアウォッシュ時にも、オゾンを発生させて、乾燥される洗濯物の除菌・脱臭や、洗濯槽２０に入れられた洗濯物を除菌・脱臭するエアウォッシュに寄与する。なお、エアウォッシュとは、ドラム２４内に収容された洗濯物に対し、オゾンを含む空気を与え、オゾンによって洗濯物に付着した雑菌等の除菌および消臭を行う処理のことであり、洗濯や乾燥処理とは異なる独立した処理である。エアウォッシュでは、オゾンを含む空気（エア）によって、洗濯物があたかもエアで洗われ、除菌・消臭がされるかの如くであるから、本願出願人は、オゾンを用いて行う洗濯物の除菌・消臭をエアウォッシュと称している。
【００２７】
電気洗濯機１０には、洗濯槽２０の下方に貯水タンク４０が備えられている。貯水タンク４０は、外槽２１から排水される水や、風呂水ポンプ２６（図４参照）で汲み上げられた風呂水を溜めるためのタンクである。貯水タンク４０の近傍には、貯水タンク４０の水を汲み出すための循環ポンプ４１が備えられている。
【００２８】
さらに、外槽２１、注水口ユニット２５、乾燥風路２８（図４参照）、貯水タンク４０等の間で水を行き来させたり、オゾンを含む空気を行き来させるために、多数のホースが配置されている。
【００２９】
図４は、図１〜図３で説明した電気洗濯機１０における水を循環させる循環水路およびオゾンを含む空気を供給するオゾン供給路の構成を表わす浄化循環水路図である。
【００３０】
図４を参照して、水栓４３から供給される水道水は、給水バルブ４４の開閉制御により、注水口ユニット２５および接続ホース４５を通って洗濯槽２０内へ供給される。このとき、給水バルブ４４を切り換えることによって、水道水が第１流路４６を通って注水口ユニット２５内の洗剤容器４７内を流れるか、第２流路４８を通り、注水口ユニット２５内のソフナー容器４９内を流れるかを選択できる。
【００３１】
洗濯槽２０（外槽２１）内の水は、排水口パイプ５０に設けられた排水バルブ５１を開閉制御することにより排出できる。排水バルブ５１には中間ホース５２を介してフィルタユニット５３が接続されている。フィルタユニット５３は、外槽２１から排出される水に含まれるリントや異物を捕獲するためのものである。フィルタユニット５３に入った水は、排水パイプ５４およびバルブ８３を通り、排水ホース５５からハウジング１１外へ排出される。ハウジング１１外では、たとえば外部排水ホース５６を通り、排水トラップ５７へと排出される。
【００３２】
以上が、水道水を用いて洗いおよびすすぎを行う場合の、節水機能を実行しないときの水の流れである。
【００３３】
乾燥工程では、ブロアユニット２９内のブロア（図示せず）が作動され、洗濯槽２０内の空気は、乾燥風路２８へ流出され、接続ホース６０を通り、ブロアユニット２９内で加熱され、乾燥風として、接続ホース６１および乾燥風入口１３９（図１４参照）を通って洗濯槽２０内へ還流される。この乾燥風によって、洗濯槽２０内に収容された洗濯物が乾燥される。なお、洗濯槽２０内の温かく湿った空気は、乾燥風路２８内で熱交換により除湿される。そのため、給水バルブ４４が開閉制御され、水栓４３から供給される水道水は給水ホース６２を通り熱交換のために乾燥風路２８内へ与えられる。
【００３４】
ブロアユニット２９が作動しているときに、オゾン発生ユニット３０を作動させると、ブロアユニット２９で生じる負圧により、オゾン発生ユニット３０で発生されるオゾンがエアホース６４を介してブロアユニット２９へ取り込まれ、取り込まれたオゾンは接続ホース６１を通って洗濯槽２０へ供給され、ドラム２４内に収容された洗濯物の除菌・消臭が行われる。
【００３５】
以上が、節水機能を実行しない場合の乾燥時の水および空気の流れである。
【００３６】
この実施形態に係る電気洗濯機１０は、前述したように、風呂水を用いて洗いやすすぎを行うことができる。そのため、風呂水ポンプ２６が備えられている。風呂水ポンプ２６には、浴槽６６から風呂水を汲み上げるための風呂水ホース６７が接続可能である。風呂水ポンプ２６は、自給式ポンプであり、呼び水を供給するための呼び水水路７０が接続されている。給水バルブ４４の開閉が制御され、水栓４３から供給される水道水が注水口ユニット２５へ供給されると、その一部は、呼び水水路７０を通って風呂水ポンプ２６へ与えられる。この与えられる水（呼び水）により風呂水ポンプ２６は風呂水の汲み上げが可能になる。そして風呂水ホース６７を通って汲み上げられる風呂水は、風呂水ポンプ２６の吐出口に接続された給水ホース７１を通り、循環バルブ７２、エゼクタ７３および接続ホース７４を流れて貯水タンク４０に溜められる。
【００３７】
風呂水がエゼクタ７３を通過する際、オゾン発生ユニット３０が通電されていると、オゾン発生ユニット３０で発生するオゾンはエアホース７５を通ってエゼクタ７３に与えられる。エゼクタ７３では、風呂水が流れる際に生じる負圧により、エアホース７５からオゾンを取り込み、オゾンは風呂水に混入される。よって、貯水タンク４０に溜められる風呂水は、溜められる途中にオゾンが混入され、第１次の浄化処理を受ける。第１次の浄化処理は、貯水タンク４０への流入時になされる浄化処理である。
【００３８】
貯水タンク４０には、接続ホース７７の一端が接続されており、貯水タンク４０に溜まった風呂水を汲み出すことができる。接続ホース７７の他端は循環ポンプ４１の吸い込み口に接続されている。循環ポンプ４１も自給式のポンプであり、注水ホース７８を介して呼び水が供給され得る。給水バルブ４４の開閉制御がされ、水栓４３から供給される水道水が注水口ユニット２５へ与えられると、その一部は前述したように呼び水水路７０を介して風呂水ポンプ２６へ与えられる。これとともに、注水ホース７８を介して循環ポンプ４１へも呼び水が与えられる。
【００３９】
循環ポンプ４１の吐出口７９には、循環バルブ７２が接続されている。循環バルブ７２は、五方バルブであり、第１出口には、前述したエゼクタ７３を介して接続ホース７４が接続されており、接続ホース７７から汲み出された貯水タンク４０の水を循環させることができる。貯水タンク４０の水を汲み出し、エゼクタ７３を経由して循環させることにより、エゼクタ７３を通過する際にオゾン発生ユニット３０で発生されるオゾンを混入することができ、貯水タンク４０に溜められた風呂水にオゾンを用いて第２次の浄化処理をすることができる。第２次の浄化処理は、貯水タンク４０に溜められた風呂水を循環させて行う浄化処理である。
【００４０】
第２出口には、給水ホース８０が接続されており、給水ホース８０を介して注水口ユニット２５へ水を供給し、注水口ユニット２５から接続ホース４５を経由して洗濯槽２０へ貯水タンク４０の水を供給することができる。
【００４１】
第３出口には、接続ホース８１の一端が接続されており、その他端は乾燥風路２８内のチャンバー（図示せず）に開口している。よって、循環ポンプ４１から吐出される水をチャンバーから乾燥風路２８内へ落下させ、貯水タンク４０において熱交換用の水として用いることができる。なお、熱交換に用いられなかった余った水は、チャンバーから接続ホース６３を通り、貯水タンク４０内に戻る。
【００４２】
第４出口には、接続ホース８２の一端が接続されており、その他端はバルブ８３を介して排水パイプ５４に接続されている。よって循環バルブ７２を切り換え、バルブ８３を開閉制御することにより、貯水タンク４０の水を排水ホース５５から機外へ排出することができる。
【００４３】
この電気洗濯機１０は、風呂水を貯水タンク４０に溜め、その風呂水を浄化するだけでなく、洗濯槽２０から排出される洗いやすすぎに使用した後の水を溜めることもできる。そのために、フィルタユニット５３には、排水パイプ５４が接続された出口の他に、中間ホース８５の一端が接続された出口が備えられている。そして中間ホース８５の他端は、バルブ８６を介して貯水タンク４０に連通されている。よって、バルブ８３およびバルブ８６を切り換え制御することにより、外槽２１から排出される水は、排水口パイプ５０、排水バルブ５１、中間ホース５２、フィルタユニット５３、中間ホース８５およびバルブ８６を通って貯水タンク４０へ溜めることができる。
【００４４】
そして、貯水タンク４０に溜められた既使用水も、接続ホース７７、循環ポンプ４１、循環バルブ７２、エゼクタ７３および接続ホース７４を通る循環路を循環させることにより、オゾンを用いて浄化することができる。
【００４５】
さらに、外槽２１には溢水ホース８８の一端が接続されており、溢水ホース８８の他端は溢水ホース８９の一端と接続され、溢水ホース８９の他端はバルブ８３と接続されている。外槽２１に溜まった水が所定水位以上に溢れたとき、その水は溢水ホース８８、８９を通って排出される。その際、外槽２１内の気圧が外気圧と等しくなる必要がある。そのため、溢水ホース８８および８９の接続部と、フィルタユニット５３の入口との間は、エアホース９０で接続され、外槽２１内の気圧が外気圧と等しくなるようにされている。
【００４６】
貯水タンク４０にも溢水ホース９１が設けられている。溢水ホース９１はバルブ８３を介して排水ホース５５と接続されている。
【００４７】
さらに、洗濯槽２０内の水位を検出するために、排水口パイプ５０にはエアトラップホース９２の下端が接続されており、エアトラップホース９２の上端には水位センサ９３が備えられている。よって水位センサ９３により、洗濯槽２０内の水位を確認することができる。
【００４８】
また、貯水タンク４０にもエアトラップホース９４および水位センサ９５が備えられており、貯水タンク４０内に溜まった水の水位を検出することができる。
【００４９】
なお、貯水タンク４０内の水を全て排水して、貯水タンク４０のメンテナンス等を行うことができるよう、貯水タンク４０には手動で開閉可能なドレンホース９６が設けられている。
【００５０】
電気洗濯機１０には、さらに、給水バルブ４４と外槽２１とを接続する給水ホース９８が備えられている。給水バルブ４４の切り換えおよび開閉を制御することにより、水栓４３から供給される水道水を、給水ホース９８を経由して直接洗濯槽２０へ供給することができる。洗濯槽２０へ供給される水道水は、ドラム２４に収容された洗濯物に対してシャワー状に与えられる。つまり、給水ホース９８を介して水道水を洗濯槽２０へ供給し、いわゆるシャワーすすぎが行えるようにされている。
【００５１】
以下には、電気洗濯機１０の要部について説明する。
＜邪魔部材＞
図５は、ドラム２４を省略し、外槽２１を軸方向に直交する方向に切断した状態における洗濯槽２０周辺を正面側から見た図である。図６は、洗濯槽２０の右側断面図である。
【００５２】
図５および図６を参照して、洗濯槽２０、特に、外槽２１について詳説する。
【００５３】
外槽２１は、ドラム２４と同様に、奥側へ中心軸が延びる円筒状に形成されており、その背面側（奥側）は、正面視円板形状の外槽背面壁１０１（奥側側面）によって塞がれている。なお、ドラム２４の背面壁と外槽背面壁１０１との対向間隔は、たとえば、１６ｍｍに設定されている。
【００５４】
外槽背面壁１０１は、その円中心位置においてドラム２４の回転軸を支持しており、その前側面の周縁近傍における正面視略５時位置には、外槽背面壁１０１を肉厚方向に貫通する正面視略楕円形状の出口１０２が開口されている。出口１０２に、上述した乾燥風路２８が接続されている。つまり、出口１０２によって、外槽２１内の空気が流出され、この空気は、乾燥風路２８によって導かれる。
【００５５】
ここで、ドラム２４は、正転時には正面視時計回り（図示矢印参照）に回転される。なお、脱水運転において、ドラム２４は正転される。そして、外槽背面壁１０１の前側面には、ドラム２４の回転方向に見て、出口１０２の上流側に、詳しくは、出口１０２の右上位置に、邪魔部材１０３が外槽背面壁１０１に対して一体的に設けられている。なお、邪魔部材１０３を、外槽背面壁１０１に対する別部品として、外槽背面壁１０１に別途取り付ける構成であってもよい。
【００５６】
邪魔部材１０３は、左右方向に長手であり、外槽背面壁１０１の前側面から前側へ突設されたリブである。詳しくは、邪魔部材１０３は、外槽背面壁１０１の円中心（外槽２１の中心軸）から見て、つまり、外槽背面壁１０１の径方向において、外側から内側へ向かってドラム２４の回転方向下流側へ傾斜するように、つまり、正面視において左側に向かって下方へ傾斜するように形成されている。このように、ドラム２４の回転方向に見て、出口１０２の上流側に邪魔部材１０３を設けると、邪魔部材１０３によって、ドラム２４の回転に伴って流れる外槽２１内の泡（脱水運転においては、ドラム２４の回転速度が他の運転に比べて高く、また、洗剤溶液が残留していることにより、泡は、特に多く発生する。）から出口１０２が遮られるので、この泡が出口１０２から乾燥風路２８へ侵入することを簡易に防止することができる。また、リブである邪魔部材１０３を設けるだけの簡易な構成で、泡が出口１０２から乾燥風路２８へ侵入することを防止することができる。そして、邪魔部材１０３は、上述したように、傾斜するように形成されているので、ドラム２４の回転中において、外槽２１内の水や泡は、邪魔部材１０３に留まることなく、邪魔部材１０３の傾斜に沿って逃げるので、水や泡を円滑に流すことができる。
【００５７】
また、邪魔部材１０３は、その左右方向中央部（中央部１０４とする。）と、中央部１０４の左端部からさらに左側に向かって下方へ傾斜する左側部１０５と、中央部１０４の右端部から右側に向かって上方へ傾斜する右側部１０６とを一体的に備えている。換言すると、邪魔部材１０３は、外槽背面壁１０１の径方向において、外側および内側のそれぞれへ向かって緩やかに屈曲するように形成されている。そのため、邪魔部材１０３の外側端部および内側端部を、ドラム２４の回転に伴う水や泡の流れに沿わせることができる。ここで、邪魔部材１０３の内側端部が、左側部１０５であって、ドラム２４の回転方向下流側へ屈曲しており、邪魔部材１０３の外側端部が、右側部１０６であって、ドラム２４の回転方向上流側へ屈曲している。これにより、邪魔部材１０３の内側端部を、ドラム２４の回転に伴う水や泡の流れに沿わせることができ、一方、邪魔部材１０３の外側端部を、ドラム２４の逆回転に伴う水や泡の流れに沿わせることができる。そのため、ドラム２４を正転および逆転させる洗いやすすぎ動作中において、水や泡は、邪魔部材１０３に留まることなく、邪魔部材１０３の内側端部から逃げ、ドラム２４を逆回転させても邪魔部材１０３の外側端部から逃げるので、ドラム２４の回転方向を問わず、水や泡を円滑に流すことができる。
【００５８】
また、右側部１０６の右端縁は、外槽背面壁１０１の径方向における邪魔部材１０３の外側端縁であり、右側部１０６の右端縁と外槽背面壁１０１の外周縁との間には、所定の隙間１０７が設けられている。この隙間１０７を設けないと、ドラム２４の回転中において（特に、洗い運転でのドラム２４の逆転時）、邪魔部材１０３には水や泡が留まりやすくなるので、水や泡の流れが悪化する虞がある。しかし、隙間１０７を設けることにより、ドラム２４の回転中において、水や泡は、邪魔部材１０３と外槽背面壁１０１の外周縁との間に留まることなく、この隙間１０７を介して逃げるので、水や泡を円滑に流すことができる。
＜防止部材＞
出口１０２の周縁には、防止部材１０８が設けられている。防止部材１０８は、外槽背面壁１０１から前側へ突出するリブであり、出口１０２の周縁の全てに亘って連続して設けられている。ここで、出口１０２から乾燥風路２８内に異物、たとえば、コインが侵入すると、このコインを核として糸屑などが乾燥風路２８内に溜まり易くなる。しかし、防止部材１０８によって、外槽２１の内周面とドラム２４の外周面との隙間から外槽２１の内周面に沿って侵入した異物から出口１０２が遮られる。詳しくは、この異物は、防止部材１０８によって跳ね返される。そのため、防止部材１０８を設けることによって、異物が出口１０２から乾燥風路２８へ侵入することを簡易に防止することができる。なお、本実施形態では、防止部材１０８を出口１０２の周縁の全てに亘って連続して設けているが、一般的に、異物は、外槽２１の下側内周面に沿って侵入するので、防止部材１０８は、出口１０２の周縁において、外槽２１の下側内周面に近い部分に少なくとも設けられていればよい。また、防止部材１０８を、角がない形状、つまり周縁が丸みを帯びるように形成することにより、防止部材１０８に糸屑が引っかかることを防止することができる。
＜パッキン＞
図７は、洗濯槽２０の右側断面図である。図８は、変形例に係るパッキン１１５とドラム２４を説明するための要部概略図である。図９（ａ）は、別の変形例に係るパッキン１１５とドラム２４とを説明するための要部概略図であり，図９（ｂ）は、さらに別の変形例に係るパッキン１１５とドラム２４とを説明するための要部概略図である。
【００５９】
図７を参照して、洗濯槽２０についてさらに詳説する。
【００６０】
ドラム２４は、その前端において、一段縮径されてから回転軸方向に沿って前側（ドラム２４の外側）へ突出するように形成されており、この突出部分（ドラム突出部１１２（内槽突出部）とする。）の外側端面（前端面）には、正面視において丸い開口部（内槽開口部１０９とする。）が形成されている。なお、ドラム突出部１１２の周りには、環状のバランスボックス１１１が取付けられている。バランスボックス１１１は、たとえば、樹脂製であり、ドラム２４の偏心回転を防止する。
【００６１】
外槽２１も、ドラム２４と同様に、その前端において、一段縮径されてから前側（外槽２１の外側）に突出するように形成されており、この突出部分（外槽突出部１１３とする。）には、正面視において丸い開口部（外槽開口部１１０）が形成されている。ここで、内槽開口部１０９および外槽開口部１１０を介して、ドラム２４に対して洗濯物が出し入れされる。そして、内槽開口部１０９は、外槽開口部１１０に対応する位置にあり、詳しくは、ドラム突出部１１２および内槽開口部１０９は、外槽開口部１１０の径方向内側位置に位置している。ここで、内槽開口部１０９に相当する位置でのドラム突出部１１２の外表面と、外槽開口部１１０の内周縁との、径方向における片側の隙間（図７において破線で引き出した拡大図における寸法Ａ）は、たとえば、約２５ｍｍである。この隙間を設けることで、回転するドラム２４が径方向に振動したときにドラム突出部１１２が外槽開口部１１０に接触することが防止される。
【００６２】
また、外槽２１において外槽突出部１１３の基端部側（後端部側）の前側壁（外槽前側壁１４４とする。）と、ドラム２４に取り付けられるバランスボックス１１１とは、前後方向、詳しくはドラム２４の回転軸方向において、所定の隙間を隔てて対向しており、この隙間（図７の拡大図における寸法Ｂ）は、上述したドラム突出部１１２の外表面と外槽開口部１１０の内周縁との、片側の隙間（寸法Ａ）よりも小さく、たとえば、約５ｍｍである。このように、ドラム２４と外槽２１とは、ドラム突出部１１２および外槽突出部１１３の基端部側において、ドラム２４の回転軸方向に対向する。この対向空間に、たとえば内槽開口部１０９からはみ出した洗濯物が侵入すると、回転中のドラム２４が回転軸方向に揺れたときに、洗濯物がドラム２４側のバランスボックス１１１と外槽２１の外槽前側壁１４４との間に挟まれ、かつ、回転するドラム２４に引っ張られることで損傷する虞がある。
【００６３】
しかしながら、内槽開口部１０９は、ドラム２４の回転軸方向におけるドラム突出部１１２の外側端面（前端面）に設けられているので、内槽開口部１０９をドラム突出部１１２および外槽突出部１１３の基端部側（後端部側）、つまり、外槽前側壁１４４およびバランスボックス１１１との対向空間から遠ざけることができる。これにより、内槽開口部１０９からはみ出した洗濯物が上述した対向空間に侵入しににくくなる。
【００６４】
外槽突出部１１３の外周面の前端部には、その周方向に沿って連続して延び、外槽開口部１１０の円中心に向かって窪む取付溝１１４が形成されている。外槽突出部１１３には、パッキン１１５が取付けられている。
【００６５】
パッキン１１５は、たとえばゴム製であり、外槽開口部１１０の周縁に沿い、内槽開口部１０９とほぼ同径の円管状の管部１３０（落下防止リブ）を備えている。管部１３０の外周面には、後側から前側に向かって、順に、第１突出部１１７、第２突出部１１８および第３突出部１１９が一体的に設けられている。
【００６６】
第１突出部１１７は、管部１３０の外周面の周方向における全てに亘って連続しており、管部１３０の外周面からその径方向外側に向かって蛇行してから後側へ突出するように形成されている。第１突出部１１７の突出方向下流側端部は、外槽突出部１１３の取付溝１１４に嵌め込まれている。
【００６７】
第２突出部１１８は、管部１３０の外周面の周方向における全てに亘って連続しており、管部１３０の外周面からその径方向外側に向かって直立するように形成されている。
【００６８】
第３突出部１１９は、管部１３０の前端縁（前側周縁）の全てに亘って連続しており、内側突出部１２０と外側突出部１２１とを一体的に備えている。内側突出部１２０は、管部１３０の前端縁から管部１３０の径方向内側かつ後側へ向けて僅かに傾斜するように形成されている。外側突出部１２１は、管部１３０の前端縁から管部１３０の径方向外側に僅かに延びて後方へ屈曲し、第２突出部１１８の手前で再び屈曲して第２突出部１１８に沿って径方向外側に延びるように形成されている。ここで、パッキン１１５には、外側突出部１２１と管部１３０の外周面と第２突出部１１８とによって、管部１３０の周方向に見て、略Ｌ字状の隙間（Ｌ字隙間１２２とする。）が形成されている。
【００６９】
パッキン支持部１１６は、外槽開口部１１０よりも前側において、ハウジング１１の幅方向両側壁の間に架設される金属板であり、その幅方向中央位置には、管部１３０よりも大径の丸穴が形成されている。パッキン支持部１１６において、上述した丸穴の周縁部は、全周に亘って前側に折れ曲がるように形成されており、この丸穴の径方向外側部分は、全周に亘って前側に膨れるように形成されている。
【００７０】
ここで、パッキン支持部１１６における、上述した丸穴の周縁部は、上述したＬ字隙間１２２に嵌め込まれている。また、上述したように、第１突出部１１７の突出方向下流側端部が外槽突出部１１３の取付溝１１４に嵌め込まれている。これによって、パッキン１１５は、外槽２１に固定されている。なお、パッキン１１５の管部１３０の上端部において、後述する乾燥風入口１３９（図１４参照）および返し部材１４３に対応する部分は、切り欠かれている。また、外槽２１に固定された状態において、パッキン１１５の管部１３０の後端縁（後側周縁）は、内槽開口部１０９へ向けて後側に突出している。このような管部１３０により、外槽開口部１１０と内槽開口部１０９との間での物の落下を防止することができる。また、管部１３０によって、外槽開口部１１０の周縁と内槽開口部１０９の周縁との間の隙間が隠されることによって、外槽開口部１１０および内槽開口部１０９周辺の見映えの向上を図ることができる。
【００７１】
また、パッキン１１５の管部１３０の後端縁（後側周縁）は、内槽開口部１０９の周縁に対して前後方向に間隔１２４を隔てている。この間隔１２４は、洗濯物が入り込まない大きさに設定されている。詳しくは、管部１３０は、内槽開口部１０９の下端部において、内槽開口部１０９に最も接近するように形成されており、間隔１２４は、内槽開口部１０９の下端部において最も狭い。さらに詳しくは、図７における１点鎖線の矢印で引き出した概略図で示すように、右側面視において、管部１３０の後端縁（後側周縁）は、内槽開口部１０９の下端部において間隔１２４が一定であり、この間隔１２４が上方へ向けて徐々に広がって、その後再び一定になるように、形成されている。間隔１２４が内槽開口部１０９の下端部において最も狭いことにより、物の落下が最も発生し易い内槽開口部１０９の下端部での物の落下が防止されるので、外槽開口部１１０と内槽開口部１０９との間での物の落下を確実に防止することができる。そして、管部１３０は、内槽開口部１０９の下端部以外に対しては、内槽開口部１０９の下端部に比べて、離間している。そのため、洗濯中（特に、脱水立ち上げ時）にドラム２４が振動を伴って回転することで内槽開口部１０９の周縁が管部１３０に接近しても、内槽開口部１０９の周縁と管部１３０とが接触しにくくなり、騒音を防止することができる。なお、ドラム２４の振動の原因として、洗濯物の収容状態が悪いことによるドラム２４の偏心回転が挙げられるが、これを解消するために洗濯物を収容し直したり、脱水を行なわないのは不便である。しかしながら、本実施形態のような間隔１２４を設けることで、ドラム２４が振動しても、上述した接触による騒音を防止することができる。また、間隔１２４は、内槽開口部１０９の下端部において最も狭いのであれば、上方へ向って、階段状に広くなってもよいし、緩やかに広くなってもよい。
【００７２】
また、ドラム２４は、無負荷状態を基準として、洗濯物を収容すると沈み込み、洗濯中においては、洗濯物が水を含むことによりさらに沈み込む。ドラム２４が沈み込む量は、最大で、たとえば１０ｍｍである。そのため、パッキン１１５の管部１３０の後端縁（後側周縁）を、洗濯中に沈み込んだドラム２４の内槽開口部１０９の周縁に対向する位置において、内槽開口部１０９から最も離間するように形成してもよい。つまり、図８に示すように、管部１３０の後端縁を、沈み込んだドラム２４の内槽開口部１０９（図示点線参照）の周縁に対向する位置Ｘ付近において、最も前側へ窪ませる。これにより、洗濯中にドラム２４とともに回転する内槽開口部１０９の周縁と管部１３０との接触が避けられ、騒音を防止することができる。
【００７３】
さらに、図９（ａ）に示すように、管部１３０の後端縁（後側周縁）と内槽開口部１０９の周縁との対向方向に見て、管部１３０の後端縁（後側周縁）が内槽開口部１０９の周縁の内側に位置するように、管部１３０の後端縁（後側周縁）の径方向寸法を内槽開口部１０９の周縁の径方向寸法よりも小さくしてもよい。または、図９（ｂ）に示すように、管部１３０の後端縁（後側周縁）が内槽開口部１０９の周縁の外側に位置するように、管部１３０の後端縁（後側周縁）の径方向寸法を内槽開口部１０９の周縁の径方向寸法よりも大きくしてもよい。そして、図９（ａ）および図９（ｂ）の状態において、管部１３０の後端縁（後側周縁）を、内槽開口部１０９の下端部のみにおいて、内槽開口部１０９の周縁に対向させる。
【００７４】
これにより、内槽開口部１０９の下端部以外における管部１３０と内槽開口部１０９の周縁との接触が防止される。なお、洗濯中においては、上述したように、ドラム２４が沈むことによって、内槽開口部１０９の周縁が管部１３０に対して下降するので、内槽開口部１０９の下端部での管部１３０と内槽開口部１０９の周縁との接触も防止される。
【００７５】
この結果、物の落下が最も発生し易い内槽開口部１０９の下端部での物の落下を防止しつつ、洗濯中にドラム２４とともに回転する内槽開口部１０９の周縁と管部１３０との接触による騒音を防止することができる。
＜侵入防止リブ＞
図７の拡大図に示すように、外槽突出部１１３において、上述した間隔１２４よりも後側の位置には、侵入防止リブ１２５が設けられている。侵入防止リブ１２５は、外槽開口部１１０の後側周縁の全てに亘って連続して設けられており、具体的には、外槽２１の中心軸と同軸の環状に形成されている（拡大図において斜線で示した部分が侵入防止リブ１２５の径方向断面を示している。）。詳しくは、侵入防止リブ１２５は、全周に亘って、ドラム突出部１１２の外表面における内槽開口部１０９よりも後側部分に向かって、外槽開口部１１０とドラム突出部１１２との間の隙間（径方向における隙間）を塞ぐように、径方向に沿って突出している。なお、この突出量（拡大図における寸法Ｃ）は、たとえば、約９ｍｍである。そして、侵入防止リブ１２５の突出方向下流側端部とドラム突出部１１２の外表面との間隔（拡大図における寸法Ｄ）は、たとえば、最小で約１３ｍｍである。この隙間を設けることで、ドラム２４の回転時において、回転するドラム２４が径方向に振動したときにドラム突出部１１２が侵入防止リブ１２５に接触することを防止しつつ、外槽開口部１１０とドラム突出部１１２との間の隙間を塞ぐことができる。ここで、ドラム２４の回転に伴って洗濯物が内槽開口部１０９から外槽開口部１１０側にはみ出すと、この洗濯物がパッキン１１５（管部１３０）と内槽開口部１０９の周縁との間（間隔１２４）から、外槽開口部１１０の周縁を伝ってドラム２４の外周面の奥側へさらにはみ出そうとする（図示破線矢印参照）。しかし、侵入防止リブ１２５を設けることによって、この洗濯物のはみ出しは、侵入防止リブ１２５までに抑えられる。これにより、はみ出た洗濯物が外槽２１の外槽前側壁１４４とドラム２４のバランスボックス１１１との対向空間に侵入することを防止することができる。さらに、侵入防止リブ１２５は、外槽開口部１１０の周縁の全てに亘って連続して設けられているので、外槽開口部１１０の周縁において部分的に設けられる場合に比べて、はみ出た洗濯物の侵入を確実に防止することができる。この結果、ドラム２４の回転中において上述した対向空間に侵入することによる洗濯物の損傷を防止することができる。このように、洗濯物が外槽２１の外槽前側壁１４４とドラム２４のバランスボックス１１１との対向空間に侵入することを防止できるのであれば、侵入防止リブ１２５は、外槽開口部１１０の周縁に沿って完全に連続している必要はなく、途中で途切れていてもよい。また、侵入防止リブ１２５は、外槽開口部１１０の後側周縁に限らず、この後側周縁よりも前側位置から、ドラム突出部１１２の外表面における内槽開口部１０９よりも後側部分に向かって突出するように設けられてもよい。
【００７６】
また、侵入防止リブ１２５の下端部には、侵入防止リブ１２５を肉厚方向に貫通する水抜き穴１４２が形成されている。そのため、侵入防止リブ１２５の前側に水が浸入しても、この水は、水抜き穴１４２を介して、侵入防止リブ１２５の後側の外槽２１内部へ戻される。
【００７７】
なお、侵入防止リブ１２５は、一体物として構成されてもよいし、複数の部品を組み合わせることで構成されてもよい。
＜付属キット＞
図１０は、付属キット１２６における棚１２７の斜視図である。図１１は、付属キット１２６における導入ユニット１２８の前側斜視図である。図１２は、導入ユニット１２８におけるノズル１２９の下側斜視図である。図１３は、変形例に係るノズル１２９の下側斜視図である。図１４は、付属キット１２６を取付けた状態における洗濯槽２０の前側斜視図である。図１５は、付属キット１２６を取付けた状態における洗濯槽２０の左側断面図である。
【００７８】
この電気洗濯機１０には、付属キット１２６（図１５参照）が着脱可能に設けられている。付属キット１２６は、主として靴、他にはぬいぐるみなどを、ドラム２４が静止した状態で乾燥したり、オゾンによって脱臭・除菌したりする場合に使用するものである。付属キット１２６は、後述する棚１２７および導入ユニット１２８（付属部品）を備えている。
【００７９】
図１０を参照して、棚１２７は、たとえば針金によって略矩形の柵状に形成されている。棚１２７の前端部は、斜め前側下方に折り曲げられており、棚１２７の後端部の左右方向中央位置には、後側へ突出する突出部１３１が設けられている。棚１２７において、上述した前端部と突出部１３１との間に挟まれる部分が、載置部１３２である。載置部１３２は、平坦状に形成されている。
【００８０】
図１１を参照して、導入ユニット１２８は、ジョイント部１３３、ダクト１３４およびノズル１２９を備えている。
【００８１】
ジョイント部１３３は、下方に延びてから屈曲して後方に延びる、たとえば樹脂製のエルボ管である。ジョイント部１３３の上端部は、正面視において、上方へ膨れる円弧状に形成されており、この上端部の上側面には、ジョイント部１３３における一端側の開口部（導入口１４１とする。）が形成されている。また、ジョイント部１３３の右端部には、フック１３５が設けられている。フック１３５は、正面視略逆Ｌ字状に形成されており、その上端部には、右側へ突出する係合突起１３６が形成されている。フック１３５は、ジョイント部１３３に対して左右方向にスライド自在に支持されており、常には、右側へ向けて付勢されている。ジョイント部１３３の他端側の開口部は、ジョイント部１３３の後端部に形成されている。
【００８２】
ノズル１２９は、たとえば樹脂製であり、上下方向に延びる管状に形成されている。ノズル１２９は、その上端部に開口部が形成されている。ノズル１２９の下端部は、左右方向において２つに分岐しており、それぞれの分岐部分（分岐部分１３７とする。）の下側面には、出口としての開口部（供給口１３８とする。）が形成されている。ここで、ノズル１２９の各分岐部分１３７は、底面視において互いに離れる方向へ膨らむ略半円形状に形成されている（図１２参照）。また、各分岐部分１３７の外側表面は、たとえば、左側の分岐部分１３７で見ると、左端部、前端部および後端部に、上下方向に沿って外側へ膨らむ筋部を設けることで、凹凸状に形成されている（図１２参照）。供給口１３８は、分岐部分１３７の底面形状に相似するように形成されている。また、供給口１３８の周縁は、平坦でなくてもよい。たとえば、左側の分岐部分１３７で見ると、供給口１３８の周縁は、左上側へ傾斜していてもよく（図１３参照）、さらには、凹凸状であってもよい。
【００８３】
ダクト１３４は、たとえば耐熱ゴム製であり、可撓性を有する管状に形成されており、一端がジョイント部１３３の後端部の開口部に接続され、他端がノズル１２９の上端部の開口部に接続されている。この状態において、導入ユニット１２８の一端であるジョイント部１３３と、導入ユニット１２８の他端であるノズル１２９とは互いに連通している。また、ダクト１３４は、ジョイント部１３３およびノズル１２９に接続された状態において、途中で屈曲している。
【００８４】
図１４を参照して、付属キット１２６の電気洗濯機１０の洗濯槽２０への取付けについて説明する。
【００８５】
ここで、外槽２１における外槽突出部１１３の上端部には、外槽突出部１１３を肉厚方向に貫通する乾燥風入口１３９が形成されており、上述したブロアユニット２９から延びる接続ホース６１（図４参照）は、乾燥風入口１３９に上側から接続されている。なお、乾燥風入口１３９の左側には、外槽開口部１１０の周縁の上端部からドラム２４の奥側へ鉤状に延びる返し部材１４３が設けられている。返し部材１４３によって、外槽開口部１１０の上側ではみ出ようとする洗濯物がドラム２４内に戻される。
【００８６】
まず、棚１２７をドラム２４内に収容する。このとき、棚１２７の前端部がドラム突出部１１２の内周面（内槽開口部１０９の周縁）に載置され、突出部１３１がドラム２４の背面壁に係合することによって、載置部１３２が水平になるように、棚１２７が配置される（図１５参照）。
【００８７】
そして、導入ユニット１２８におけるジョイント部１３３の導入口１４１（図１１参照）を、乾燥風入口１３９に対して下側から連結する。このとき、フック１３５の係合突起１３６（図１１参照）が乾燥風入口１３９の周縁に係合することによって、ジョイント部１３３が乾燥風入口１３９に固定される。これに伴い、図１５に示すように、導入ユニット１２８は、乾燥風入口１３９からぶら下がるように、ドラム２４内に収容される。このとき、ノズル１２９の各供給口１３８は、棚１２７の載置部１３２に対して上方から対向する。
【００８８】
以上によって、付属キット１２６の洗濯槽２０への取付けが完了する。ここで、載置部１３２に、たとえば、靴１４０を載置し、靴１４０の履き口にノズル１２９の分岐部分１３７を挿入してから扉１２（図１参照）を閉じる。なお、上述したように、ダクト１３４は可撓性を有しているので、ノズル１２９と靴１４０との距離が離れていても、ダクト１３４を折り曲げたり、伸ばしたりすることで、靴１４０の履き口にノズル１２９を挿入することができる。また、ノズル１２９は、２つの分岐部分１３７に分かれる二股形状なので、１足の靴１４０の各片足側の履き口にノズル１２９を同時に挿入することができる。そして、上述したように、ブロアユニット２９側から、乾燥風や、オゾンを含む空気（以下、単にオゾンという。）を流すと、これらの乾燥風およびオゾンは、乾燥風入口１３９およびジョイント部１３３の導入口１４１（図１１参照）から導入ユニット１２８内に導入され、各ノズル１２９の供給口１３８から靴１４０内部に直接供給される。つまり、導入ユニット１２８によって、乾燥風およびオゾンを洗濯槽２０内の所定の位置へ集中的に供給することができ、上述したように、靴１４０にノズル１２９の供給口１３８を向けることで、靴１４０に乾燥風およびオゾンを集中的に供給して、靴１４０を内部まで効率的に乾燥および脱臭・除菌できる。この結果、電気洗濯機１０に付加機能を備えることができる。
【００８９】
また、上述したように、ノズル１２９は、二股形状なので、１足の靴１４０を一度に乾燥および脱臭・除菌できるが、二股形状に限らず、さらに多くの分岐部分１３７を備えてもよい。これにより、さらに多くの靴１４０を一度に乾燥および脱臭・除菌できる。
【００９０】
そして、上述したように、各分岐部分１３７は、その外側表面が凹凸状に形成されているので（図１２参照）、靴１４０内部に挿入されても、靴１４０内面と各分岐部分１３７の外側表面との間に隙間を設けることができる。そのため、各分岐部分１３７から乾燥風およびオゾンを靴１４０内部に供給しても、これらの乾燥風およびオゾンが靴１４０内部で詰まることはなく、乾燥風およびオゾンの円滑な流れを確保できる。また、上述したように、供給口１３８の周縁を、平坦でない形状とすることで（図１３参照）、分岐部分１３７を靴１４０内部に挿入したときに、靴１４０内面によって供給口１３８が塞がれることが防止される。これにより、供給口１３８から靴１４０内部へ乾燥風およびオゾンを円滑に供給することができる。
【００９１】
この発明は、以上の実施形態の内容に限定されるものではなく、請求項記載の範囲内において種々の変更が可能である。
【００９２】
たとえば、上述した出口１０２は、外槽２１において、奥側側面（外槽背面壁１０１）に設けられていたが、円周面に設けられてもよい（図５参照）。これに応じて、邪魔部材１０３および防止部材１０８も外槽２１の円周面に設けられる。
【００９３】
また、邪魔部材１０３は、ドラム２４の正転方向（脱水回転方向）に見て、出口１０２の上流側に設けられていたが（図４参照）、これに限らず、乾燥風入口１３９の上流側に設けられていてもよい（図１４参照）。本実施形態の電気洗濯機１０では、乾燥風入口１３９は、外槽２１の上端部に設けられているので、泡が乾燥風入口１３９を介して上述した循環風路に侵入する可能性は低いが、乾燥風入口１３９に対して邪魔部材１０３を設けることで、乾燥風入口１３９からの泡の侵入を確実に防止することができる。
【図面の簡単な説明】
【００９４】
【図１】この発明の一実施形態に係る電気洗濯機１０の正面図である。
【図２】扉１２を閉じた状態における電気洗濯機１０の右側断面図である。
【図３】扉１２を開いた状態における電気洗濯機１０の右側断面図である。
【図４】図１〜図３で説明した電気洗濯機１０における水を循環させる循環水路およびオゾンを含む空気を供給するオゾン供給路の構成を表わす浄化循環水路図である。
【図５】ドラム２４を省略し、外槽２１を軸方向に直交する方向に切断した状態における洗濯槽２０周辺を正面側から見た図である。
【図６】洗濯槽２０の右側断面図である。
【図７】洗濯槽２０の右側断面図である。
【図８】変形例に係るパッキン１１５とドラム２４を説明するための要部概略図である。
【図９】図９（ａ）は、別の変形例に係るパッキン１１５とドラム２４とを説明するための要部概略図であり，図９（ｂ）は、さらに別の変形例に係るパッキン１１５とドラム２４とを説明するための要部概略図である。
【図１０】付属キット１２６における棚１２７の斜視図である。
【図１１】付属キット１２６における導入ユニット１２８の前側斜視図である。
【図１２】導入ユニット１２８におけるノズル１２９の下側斜視図である。
【図１３】変形例に係るノズル１２９の下側斜視図である。
【図１４】付属キット１２６を取付けた状態における洗濯槽２０の前側斜視図である。
【図１５】付属キット１２６を取付けた状態における洗濯槽２０の左側断面図である。
【符号の説明】
【００９５】
１０    電気洗濯機
２０    洗濯槽
２１    外槽
２４    ドラム
２８    乾燥風路
２９    ブロアユニット
６０    接続ホース
６１    接続ホース
１０１  外槽背面壁
１０２  出口
１０３  邪魔部材
１０７  隙間
１０８  防止部材
１０９  内槽開口部
１１０  外槽開口部
１１２  ドラム突出部
１１３  外槽突出部
１２５  侵入防止リブ
１２８  導入ユニット
１２９  ノズル
１３０  管部
１３３  ジョイント部
１３８  供給口
１３９  乾燥風入口
【図１】
2008307430.tif 000003
【図２】
2008307430.tif 000004
【図３】
2008307430.tif 000005
【図４】
2008307430.tif 000006
【図５】
2008307430.tif 000007
【図６】
2008307430.tif 000008
【図７】
2008307430.tif 000009
【図８】
2008307430.tif 000010
【図９】
2008307430.tif 000011
【図１０】
2008307430.tif 000012
【図１１】
2008307430.tif 000013
【図１２】
2008307430.tif 000014
【図１３】
2008307430.tif 000015
【図１４】
2008307430.tif 000016
【図１５】
2008307430.tif 000017